(57)【要約】  背面照射に適したシステムが提供される。システムは、情報信号を監視し、情報信号に含まれる情報に少なくとも部分的に基づいて第１の信号を生成するよう構成された監視装置と、第１の信号に基づいて、システムに含まれ、光の発出特性を実現可能である少なくとも１つの照射領域の反応時間を制御するよう構成された制御装置とを備え、第１の信号はシーン切り換え情報を含み得る。システムは、提示された情報信号において起こっている、シーン切り換えなどの動作を強調することができている一方で、より坦々とした背面照射効果をもたらす。方法及びコンピュータ読み取り可能な媒体も提供される。
2010513975.tif 000002
【特許請求の範囲】
【請求項１】
システムであって、
情報信号を監視し、前記情報信号に含まれる情報に少なくとも部分的に基づいて第１の信号を生成するよう構成された監視装置と、
前記第１の信号に基づいて、前記システムに含まれ、光の発出特性を実現可能である少なくとも１つの照射領域の反応時間を制御するよう構成された制御装置とを備えるシステム。
【請求項２】
請求項１記載のシステムであって、前記情報信号が画像、画像系列データ又はビデオ信号であるシステム。
【請求項３】
請求項１又は２に記載のシステムであって、前記情報信号をユーザに提示することができる表示領域を更に備えるシステム。
【請求項４】
請求項３記載のシステムであって、画像系列が提示されると、シーン切り換えなどの動作が表示領域内で検出される場合に、前記少なくとも１つの照射領域の反応時間が前記制御装置によって変更されるシステム。
【請求項５】
請求項１乃至４のうちの何れか一項に記載のシステムであって、前記第１の信号は、前記情報信号におけるシーン切り換えに関する情報を含むシステム。
【請求項６】
請求項１乃至５のうちの何れか一項に記載のシステムであって、シーン切り換え信号を生成するよう構成され、前記監視装置又は前記制御装置に接続されたシーン切り換え検出器を更に備え、シーン切り換えは、前記システムの少なくとも１つの照射領域の反応時間を制御するために前記制御装置によって使用されるシステム。
【請求項７】
請求項３記載のシステムであって、前記光の特性は、前記表示領域のうちの１つ又は複数の監視領域における強度及び色であり、前記第１の信号は、各監視領域の少なくとも前記強度及び色に関する情報を備えるシステム。
【請求項８】
請求項７記載のシステムであって、監視領域は、少なくとも１つ又は複数の照射領域に対応するシステム。
【請求項９】
請求項１乃至８の何れか一項に記載のシステムであって、前記照射領域の反応時間は、経時的に前記第１の信号の積分に対応するシステム。
【請求項１０】
請求項１乃至９の何れか一項に記載のシステムであって、前記少なくとも１つの照射領域の反応時間が前記情報信号のコンテンツに対してフレーム同期であるシステム。
【請求項１１】
請求項１乃至１０の何れか一項に記載のシステムであって、前記少なくとも１つの照射領域の反応時間が前記情報信号のコンテンツの少なくとも２つのフレームにわたって積分されるシステム。
【請求項１２】
請求項３乃至１１のうちの何れか一項に記載のシステムであって、前記表示領域が表示装置に含まれるシステム。
【請求項１３】
請求項１乃至１２のうちの何れか一項に記載のシステムであって、プロジェクタに含まれるシステム。
【請求項１４】
請求項３乃至１３のうちの何れか一項に記載のシステムであって、前記情報信号及び前記少なくとも１つの照射領域が表面上に投影されるシステム。
【請求項１５】
方法であって、
情報信号を監視する工程と、
前記情報信号に含まれる情報に少なくとも部分的に基づいて第１の信号を生成する工程と、
前記第１の信号に基づいて、光の発出特性を実現することができる少なくとも１つの照射領域の反応時間を制御する工程とを含む方法。
【請求項１６】
プロセッサによって処理するためのコンピュータ・プログラムを実施させたコンピュータ読み取り可能な媒体であって、前記コンピュータ・プログラムは、
情報信号を監視するための監視コード部と、
前記情報信号に含まれる情報に少なくとも部分的に基づいて第１の信号を生成するための生成コード部と、
前記第１の信号に基づいて、光の発出特性を実現することができる少なくとも１つの照射領域の反応時間を制御するための制御コード部とを含むコンピュータ読み取り可能な媒体。
【請求項１７】
請求項１６記載のコンピュータ読み取り可能な媒体であって、コンピュータ処理特性を有する装置によって実行されると、請求項１乃至１４の全てに記載されたシステム機能全てを行うために構成されたコード部を備えたコンピュータ読み取り可能な媒体。
【発明の詳細な説明】
【技術分野】
【０００１】
本発明は一般に、テレビ受像機などの表示装置を含めるか、又は上記表示装置に加えるのに適した視覚表示システムに関する。更に、本発明は、前述の視覚表示システムを動作させるための方法及びコンピュータ読み取り可能な媒体に関する。
【背景技術】
【０００２】
視覚表示装置は、周知であり、映画フィルム映写機、テレビ受像機、モニタ、プラズマ・ディスプレイ、液晶ディスプレイＬＣＤテレビ、モニタ及びプロジェクタ等を含む。前述の装置は多くの場合、画像又は画像系列を視聴者に向けて提示するよう使用される。
【０００３】
背面照射の分野は、最適な視聴のためにテレビが「より暗い」部屋を必要とすることが理由で１９６０年代に始まった。背面照射は、その最も単純な形態では、視覚表示装置の後ろの表面上に投影された、（例えば電球から）発せられた白色光である。背面照射は、虹彩を弛緩させ、眼精疲労を軽減するために使用することが提案されている。
【０００４】
近年、背面照射技術は、より複雑になってきており、表示装置上に提示される視覚情報に応じて異なる輝度の色を発出することを可能にする一体化された背面照射機能を備えたいくつかの表示装置が市場に出回っている。
【０００５】
背面照射の利点には一般に、より奥行きがあり、より没入できる視聴体験、最善のピクチャ品質のための色、コントラスト及び細部の改良、及びよりリラックスして視聴するための眼精疲労の軽減が含まれる。背面照射の種々の利点は、背面照射システムの別々の設定を必要とする。眼精疲労の軽減は、色の低速変動、及び、多かれ少なかれ固定された輝度を必要とし得る一方、より没入できる視聴体験には、画面のコンテンツの拡張（すなわち、画面のコンテンツと同じ速度での同じ輝度変動）を必要とし得る。
【０００６】
欧州特許第１５５１１７８号には、視聴者に向けて画像を提示するための画像表示領域を含む表示装置とともに使用するための補助視覚表示システムが開示されている。上記表示システムは、画像表示領域を少なくとも部分的に包囲する１つ又は複数の照射源を含む。上記刊行物記載のシステムの欠点は、リラックスし、没入できる視聴体験を同時に可能にするものでないという点である。
【０００７】
背面照射型テレビ受像機は一般に、いくつかのテンプレート（所定の設定を有するリラックス、モデレート、ダイナミック・テンプレートなど）を含む。リラックス・モードを選ぶと、低速で応答する背面照射効果が得られ、よって、コンテンツの視聴中に、リラックスした背面照射背景がもたらされる。テンプレート（特に、リラックス・モード）の欠点は、設定が経時的に固定であるというものである。よって、リラックス・モードの場合、背面照射効果は非常に低速で変動するが、画像コンテンツにおいて急な動作（シーン切り換えなど）が存在する場合も同様である。シーン内の低速変動背面照射は問題でない。フェードアウトする色と現在の色との間の相関が存在しているからである。しかし、色及び輝度が例えば、非常に高い輝度シーンから非常に暗いシーンに変動する場合、上記問題がより明らかになり、その後の２つのシーンの差は大きい。現在の背面照射実現形態では、先行する高輝度シーンは、新たなシーンを数秒もの間、圧倒し得る。
【発明の概要】
【発明が解決しようとする課題】
【０００８】
よって、改良された視覚表示システム、方法、装置、及びコンピュータ読み取り可能な媒体が効果的になる。
【課題を解決するための手段】
【０００９】
よって、本発明は、好ましくは、当該技術分野における前述の欠点の１つ又は複数を単独又は何れかの組合せで軽減、緩和、又は除外しようとし、特許請求の範囲記載のシステム、方法及びコンピュータ読み取り可能な媒体を提供することにより、少なくとも前述の課題を解決する。
【００１０】
本発明の一局面によれば、システムが提供される、システムは、情報信号を監視し、情報信号に含まれる情報に少なくとも部分的に基づいて第１の信号を生成するよう構成された監視装置と、第１の信号に基づいて、システムに含まれ、光の発出特性を実現可能である少なくとも１つの照射領域の反応時間を制御するよう構成された制御装置とを備える。
【００１１】
本発明の別の局面によれば、方法が提供される、方法は、情報信号を監視する工程と、情報信号に含まれる情報に少なくとも部分的に基づいて第１の信号を生成する工程と、第１の信号に基づいて、光の発出特性を実現することができる少なくとも１つの照射領域の反応時間を制御する工程とを含む。
【００１２】
本発明の更に別の局面によれば、プロセッサによって処理するためのコンピュータ・プログラムを実施させたコンピュータ読み取り可能な媒体を提供する。コンピュータ・プログラムは、情報信号を監視するための監視コード部と、情報信号に含まれる情報に少なくとも部分的に基づいて第１の信号を生成するための生成コード部と、第１の信号に基づいて、光の発出特性を実現することができる少なくとも１つの照射領域の反応時間を制御するための制御コード部とを含む。
【００１３】
本発明の特定の実施例の目的は、背面照射の感覚における競合する２つの機能を組み合わせることである。極端な策の１つには、ＴＶの背景を、提示された画像コンテンツにそれ自体を平滑に適合させることにより、視聴体験全体をよりリラックスしたものにするということがある。もう１つの極端な策には、人間の眼の隅においてピクチャの自然な継続のようにみえる、壁上の効果をもたらすということがある。すなわち、ＴＶは実際よりも大きくみえ、ユーザは、眼の隅において生起しているものも存在している映画と同様な感覚を有する。これは、背面照射動作が、画面コンテンツに十分高速に追随することを必要とする。
【００１４】
本発明の実施例は、両方の極端な例を組み合わせて、反応時間（積分時間、立ち上がり／立ち下がり時間等とも呼ばれる）として表すパラメータを使用して、両方の感覚をユーザに向けて同時にもたらす。このパラメータは、提示された画像コンテンツの少なくとも一部においてもう存在していない色がどの程度長く、現在の背面照射効果においてなお留まるべきか、及び背面照射効果において、新たな色がどの程度速く、支配的になるべきかを定義する。
【００１５】
本発明は、画像系列及び／又はビデオ信号におけるシーン切り換えを検出するビデオ処理アルゴリズムの出力に基づいて光照射を発出することができる照射領域の反応時間を制御するための表示システム、方法、及びコンピュータ読み取り可能な媒体を、特定の実施例によって提供する。
【００１６】
本発明の実施例は、人々がより没入できる視聴体験、ずっと大きな画面を見ているが、シーン切り換えなどの動作が、提示された画像コンテンツ内で生起する場合以外に自分の眼の隅で、絶えず動いている効果を欲しくないという考えを持ちたいという課題を解決する。これまで、何れの要件も、適切な背面照射効果を選ぶうえで競合する。
【００１７】
本発明の実施例の利点は、表示システムを、既存のパラメータを使用して非常に容易なやり方で実現することができるという点である。
【００１８】
別の利点は、本発明が、背面照射システムと現在のシーンとの間で高い相関をなお有する一方で、背面照射システムをリラックス・モードに設定するための機会をユーザに与えるという点である。
【００１９】
本発明が実現することが可能な前述並びに他の局面、構成及び利点は、本発明の実施例の以下の説明から明らかであり、明らかになり、参照は添付図面に対して行われる。
【図面の簡単な説明】
【００２０】
【図１】一実施例によるシステムを示すブロック図である。
【図２】一実施例によるシステムを示す概略図である。
【図３】一実施例によるシステムを示す概略図である。
【図４】一実施例による方法を示す概略図である。
【図５】一実施例によるコンピュータ読み取り可能な媒体を示すブロック図である。
【発明を実施するための形態】
【００２１】
本発明のいくつかの実施例は、当業者が本発明を行うことができるために、添付図面を参照して以下に更に詳細に説明する。しかし、本発明は、別々の多くの形態で実現することができ、本明細書及び特許請求の範囲記載の実施例に限定されるものと解されるべきでない。むしろ、前述の実施例は、本開示が詳細かつ網羅的であり、当業者に本発明の範囲を伝えることになるように記載している。上記実施例は本発明を限定するものでないが、本発明は、特許請求の範囲によってのみ限定される。更に、添付図面中に示す本願の実施例の詳細な説明において使用されている用語は、本発明の限定を意図するものでない。
【００２２】
以下の説明は、映画フィルム映写機、テレビ受像機、モニタ、プラズマ・ディスプレイ、液晶ディスプレイＬＣＤテレビ、プロジェクタ等などの視覚表示装置の背面照射に適用可能な本発明の実施例に焦点を当てている。しかし、本発明は、本出願に限定されないが、背面照射が望まれる多くの他の分野に適用することができる。
【００２３】
本発明は、表示システム画面上で生起しているシーン切り換えなどの、動作を強調又は支援することがなおできる一方で、背面照射を画面の坦々とした連続にするために背面照射効果を平滑化する解決策を提供する。本願の解決策は、照射領域の反応時間を、提示された画像コンテンツにおけるシーン変動に対して高感度で、背面照射を発出することができるものにする。これは、照射領域の反応速度が、経時的に固定である訳でないが、提示された画像コンテンツに基づいて異ならせることができるということを意味している。この構成の利点は、例えば、色及び輝度が、提示された画像コンテンツに依存して、低速で変動するリラックス背面照射モードが、コンテンツ内の新たなシーンになおすばやく応答するという点である。これは、先行シーンに対応する輝度及び色を照射領域が発出することを妨げる。実際には、これは、提示された画像コンテンツにおける新たなシーンに直ちに適合し、新たな現行シーン内のシーン切り換えに先行して使用される元の反応時間に自動的に適合するということを意味する。
【実施例】
【００２４】
一実施例では、図１による表示システム１０が提供される。システムは、視聴者に画像又は画像系列を提示することができる表示領域を備えた表示装置とともに使用することができる。システムは、光照射の発出特性を実現することができる少なくとも１つの照射領域１３と、情報信号を監視し、情報信号に含まれる情報に少なくとも部分的に基づいて第１の信号を生成するための監視装置１１と、第１の信号に基づいて各照射領域の反応時間を制御する制御装置１２とを備える。
【００２５】
照射領域
一実施例では、照射領域は、少なくとも１つの照射源と、上記照射源の輝度及び／又は色などの光照射の特性を制御する、例えば監視装置からの信号を受信するための一入力とを含む。
【００２６】
照射源は例えば、表示装置上の画像コンテンツに基づいて光を発出する、例えば、発光ダイオード、ＬＥＤであり得る。ＬＥＤは、順方向に電気的バイアスされると狭スペクトル非干渉光を発出する半導体デバイスである。発出光の色は、使用される半導体材料の組成及び状態に依存し、近紫外、可視又は赤外であり得る。いくつかのＬＥＤの組合せにより、かつ、各ＬＥＤに対する入力電流を変えることにより、近紫外波長から赤外波長に及ぶ光スペクトルを提示することができる。
【００２７】
本発明は、背面放射効果をもたらすために使用される照射源の種類に限定されるものでない。光を発出することができる何れの光源も使用することができる。
【００２８】
一実施例では、表示装置及び照射領域は、使用される場合、壁などの表面上の領域上に画像を投影するプロジェクタに含まれ得る。投影画像は、視聴者に向けて画像又は画像系列を提示することができる表示領域を含む。表示領域は投影画像を中心とし得る一方、その周りで、投影領域の残りの部分は、投影画像内の位置に応じて別々の反応速度を有する少なくとも２つの照射領域を含む。この実施例では、外側領域は、投影表示領域に近い領域とは違ったふうに生成することができる。
【００２９】
一実施例では、照射領域は、赤色、緑色及び青色の３つのＬＥＤを有する。各ＬＥＤに対する入力電流を異ならせることにより、ＲＧＢ標準に対応する可視色の光スペクトルを提示することができる。
【００３０】
一実施例では、表示装置及び照射領域は、ビディウォールなどのＬＥＤビデオ画面に含めることができる。ＬＥＤビデオ画面は、視聴者に向けて画像又は画像系列を提示することができる表示領域を含む。表示領域は、ＬＥＤビデオ画面内を中心とし得る一方、その周りで、ＬＥＤビデオ画面の残りの部分は、少なくとも１つの照射領域を備える背面照射効果をもたらすよう構成される。
【００３１】
ＬＥＤ以外の照射源は、本発明の範囲内で同様に実施可能である。よって、この意味合いでのＬＥＤの語の使用は、電気信号を受信し、上記信号に応答して光の色を生成することができる発光システム（例えば、発光ポリマー、電流に応答して光を生成する半導体ダイ、有機ＬＥＤ、エレクトロルミネセンスの細片、光を発出するシリコン・ベースの構造や、他の前述のシステム）として認識すべきである。
【００３２】
一実施例では、照射領域は、表示装置の画像コンテンツに基づいて光の発出する照射源を備える。照明光源は、白熱光源（フィラメント・ランプ、フォトルミネッセント光源（気体放電など）、蛍光源、リン光源、レーザ、ＥＬ光源（蛍光灯など）、電子飽和を使用した陰極ルミネッセンス光源、ルミネッセンス光源（ガルバノルミネッセンス光源、結晶ルミネッセンス光源、キネルミネッセンス光源、熱ルミネッセンス光源、トリボルミネセンス光源、ソノルミネッセンス光源、及び、放射線ルミネッセンス光源を含む）であり得る。
【００３３】
一実施例では、照射領域は表示装置に一体化される。
【００３４】
他の実施例では、照射領域は、表示装置に対する接続性を有するスタンドアロン型であり得る。
【００３５】
情報信号
情報信号は、特定の実施例によれば、画像若しくは画像系列データ信号、ビデオ信号、オーディオ信号、又は合成情報信号であり得る。情報信号は、強度、輝度、色及び周波数などのパラメータを含み得る。
【００３６】
一実施例では、各照射領域が発出する光放射の色及び輝度は、表示システム内の照射領域の位置、並びに、接続された情報信号に含まれる監視領域の色及び輝度コンテンツに依存する。図２では、表示領域２１はいくつかの監視領域に分割され、各監視領域は少なくとも１つの照射領域に接続される。図２は、４つの監視領域２ａ、２ｂ、２ｃ、２ｄ、及び６つの照射領域２２、２３、２４、２５、２６、２７を備える表示システム２０を示す。各照射領域は、以下の表１による、少なくとも１つの監視領域に接続された、電子駆動回路などの制御装置及び監視装置を介する。
【００３７】
【表１】
2010513975.tif 000003
表１にみられるように、照射領域２２は、監視領域２ａ及び２ｂの合成色情報と繋がっている。同様に、照射領域２５は、監視部２ｃ及び２ｄの合成色情報と繋がっている。照射領域２３、２４、２６及び２７は監視領域２ａ、２ｃ、２ｄ及び２ｂそれぞれに対応する。
【００３８】
監視領域が、主に緑色を一時点で含む場合、監視装置からの第１の信号は、緑色等を発出するための情報を含む。制御装置を介して照射領域に接続された監視装置は、監視領域において提示された色及び輝度の情報に応答し、照射領域の信号を生成する。これは、表示システムにおける各照射領域の色及び輝度を制御する制御装置に供給される。
【００３９】
監視装置
監視装置は、情報信号を受信し、第１の信号（制御装置に供給される）を生成するよう構成される。第１の信号は、表示領域のどの監視領域がどの照射領域に対応するかなどの情報を含み得るか、各照射領域の色、輝度、周波数等を含み得る。
【００４０】
制御装置
制御装置は、表示システムの照射領域の光放射を制御することができる。制御装置は、各照射領域の色及び輝度に関する監視装置から信号を受信し、この情報を他の基準とともに使用して、照射領域の光放射の色及び輝度を制御することができる。
【００４１】
照射領域の反応時間は、特定の実施例では、第１の信号にわたる、積分因子（情報信号のフレームの数など）又は積分時間に等しいものであり得る。第１の信号にわたる積分は、情報信号のいくつかのフレーム（例えば、１００フレーム）にわたる色合計に関係し得る。これは、より長い反応時間（すなわち、より長い積分時間）を有する照射領域について、色の高速変動がフィルタリングされる（すなわち、平滑化される）ということを意味する。これは、長い積分時間での、照射領域の平滑に変動する色、及び短い積分時間での、照射領域の高速色変動という利点をもたらす。特定の実施例では、最長の反応時間を使用した、照射領域からの発出色は、表示領域に提示された現在の画像又は画像系列の背景色を表す。
【００４２】
別の実施例では、制御装置は、第１の信号に基づいて、各照射領域によって発出される強度及び色を制御する。この実施例では、第１の信号は、情報信号から生じる、色及び強度の情報も含む。
【００４３】
どのアルゴリズムを使用するか等、照射領域入力信号をどのようにして生成するかというやり方がいくつか存在している。単純な例では、アルゴリズムは、その対応する照射領域に、特定の監視領域の平均又はピークの色を反復するに過ぎないが、いくつかのアルゴリズムがこの点で知られており、本発明の特定の実施例による表示システムによって利用することができる。
【００４４】
動作信号
一実施例では、制御装置は更に、表示内の各照射領域位置に応じて各照射領域の反応時間を制御する。よって、制御装置は、種々の照射領域についていくつかの反応時間を利用する。このようにして、別々の照射領域は、監視装置からの第１の信号に、時間的に違ったふうに反応する。前述のシステムは図３に示し、システムの別々の照射領域３２、３３、３４は、Ａ１、Ａ２、Ａ３によって示す別々の反応時間を有する。前述のもの以外の、照射領域等に接続された別々の数の監視領域を利用した表示システム設定が同様に可能であり、当業者に自明であり、本発明の範囲内に収まる。
【００４５】
一実施例では、制御装置は更に、表示領域内に生じる動作を利用して各照射領域の反応時間を制御する。
【００４６】
このようにして、Ａ２やＡ３などの、経時的に積分される照射領域の反応時間は、背面照射への表示領域の平滑な連続を維持するために表示領域において、シーン切り換えなどの動作が検出される場合に、直ちに変わる。これは、シーン切り換えが検出されると、時間上、積分された特定の照射領域は即座に、表示領域における高速切り換えの視聴性能を増加させるようフレーム同期になり得る。
【００４７】
個々の照射領域の反応時間の変動をトリガする動作（シーン切り換えなど）は、表示領域内の動作に対応する動作信号に基づいた閾値として測定することができる。動作信号が閾値未満の場合、反応時間は主に、照射領域の位置に依存する。しかし、動作信号が閾値を上回る場合、反応時間は同時に変動する。例として、全照射領域反応時間は、図３中のＡ１のような、システム内で反応時間が最低の照射領域と同じ値に設定することができる。
【００４８】
画像系列コンテンツからの動きなどの動作を抽出する方法は、別々のフレームを比較し、そうして、画素が動く方向及び速度を示すベクトル・フィールドを生成することによる。実際には、マクロブロックはいくつかの画素及び行（例えば、１２８×１２８）を含む。画素ベースの処理が必要とする計算容量は大きすぎるからである。次いで、前述のベクトル・フィールドを使用して、動きが存在している場所を識別することができる。
【００４９】
一実施例では、監視装置は、第１の信号がシーン切り換え情報を有するように、シーン切り換え検出アルゴリズムに基づいて動作信号を生成する。
【００５０】
別の実施例では、制御装置は、シーン切り換え検出アルゴリズムに基づいて動作信号を生成する。
【００５１】
一実施例では、シーン切り換えアルゴリズムは、テレビ受像機などの表示装置に装備された一般的に知られているシーン切り換え検出器に含まれ得る。シーン切り換え検出器は、フィルム材料における動く物体の平滑な印象をもたらすために、フィリップス社のディジタル・ナチュラル・モーション手法におけるいくつかのパラメータを再設定するなどの他の処理に通常、必要である。この実施例によれば、シーン切り換え検出器によって検出されるシーン切り換えは、各照射領域の反応時間を制御する制御装置に供給される第１の信号に含まれ得る。
【００５２】
実用的な実現形態では、シーン切り換えが情報信号内で検出されると、監視装置は、制御装置に、シーン切り換え情報を備えた第１の信号を供給する。制御装置は次いで、少なくとも一部の照射領域の色及び輝度が即座に、新たなシーンに対応するようにシステムの照射領域毎の反応時間を制御する。これは、新たな情報の非常に高速な適合をもたらす。その後、例えば、おおよそ単一フレーム後（すなわち、６０Ｈｚのビデオ周波数の場合、１７ｍｓ後であり、５０Ｈｚのビデオ周波数の場合、２０ｍｓ後）、制御装置は、照射領域毎に使用された元の設定に反応時間を再変更する。
【００５３】
ビデオ信号又は画像系列情報を含む情報信号におけるシーン切り換えを検出する一般的に知られているやり方がいくつか存在している。１つのやり方は、現在のフレームの動きフィールドを算出し、この動きフィールドを先行動きフィールドと比較するというものである。別のやり方は、現在のフレームについて、輝度ヒストグラムなどのヒストグラムを利用し、このヒストグラムを、先行フレームのヒストグラムと比較するというものである。シーン切り換え検出器が輝度ヒストグラムに基づいており、情報信号が、稲妻の系列を含む一実施例では、これは確かに、経時的に、提示された情報信号コンテンツの明るい部分と暗い部分との間のシーン切り換えをもたらす。相応に、影響を受けた照射領域の反応時間は、明るい状態から暗い状態に高速で照射領域が切り替わるように低く設定される。この特定の効果は、絶えず動いているとみなし得るが、前述の通り、シーン、及び照射領域からの発出光放射間の非常に大きな相関がなお存在している。
【００５４】
シーン切り換え検出器が輝度ヒストグラムに基づき、情報信号が、通常の宇宙戦争手順を含む別の実施例では、シーン切り換え検出器は、何れのシーン切り換えも検出することができないので、現在のシーンのこの絶えず動きがある状態は全て、よって除去され、影響を受けた照射領域の反応時間はよって、変わらない。これは、リラックスした視聴体験をもたらす。
【００５５】
シーン切り換え検出器が輝度ヒストグラムに基づき、情報信号が、特定の大きな物体の大きな爆発を含む別の実施例では、これは、影響を受ける照射領域の反応時間が相応に変動するようにシーン切り換えが検出されるということをもたらし得る。上述の実施例のうちの最後の３つの実施例の利点は、ユーザが、例えば、アクション映画を見ながら、表示システムの照射領域から発出された光放射によって構成される背面照射におけるリラックスし、没入する効果を享受するという点である。
【００５６】
更に別のやり方は、現行フレームの鮮鋭なエッジなどの輪郭を先行フレームの輪郭と比較して、結果として生じるパターンが所定の範囲と異なるかを確認するという点である。シーン切り換えを検出する前述のやり方の組合せも可能である。更に、シーン切り換え情報は、将来のメディア形式のためのメディア・ストリーム内の制御フラグであってもよい。この構成は、ＭＰＥＧ標準などの現在の媒体形式においてまだサポートされていない。
【００５７】
一実施例では、シーン切り換えの検出の何れかの既知の手段を制御装置とともに使用して、制御装置を使用して照射領域の反応時間を制御することができる。
【００５８】
シーン切り換えは必ずしも、表示領域において提示された提示画像コンテンツ全てに関する訳でない。表示領域の一部における高速の輝度及び／色の切り換え（サブシーン切り換えを意味している）は、例えば、監視領域毎にシーン切り換え検出器によって検出し、第１の信号において制御装置に転送することができ、それにより、影響を受けた監視領域に接続された照射領域の反応時間が変動する。例として、図２を参照すれば、一シーン切り換え検出器（図示せず）は監視領域２ａ−２ｄそれぞれに接続される。例として、照射領域は全て、画像系列の各フレームが表示領域上で提示される時間よりも長い反応時間を利用する。一時点では、監視領域２ｄに接続されたシーン検出器はシーン切り換えを検出する。各シーン切り換え検出器は監視装置に接続されるので、対応する第１の信号は、監視領域２ｄのサブシーン切り換えを含む。よって、制御装置は、影響を受けた照射領域（この場合、照射領域２６）の反応時間を変える。照射領域２５は、監視領域２ｃ及び２ｄからの合成情報を含み、反応時間も任意的には、相応に変わり得る。監視領域のサイズはよって、サブシーン切り換えの実施例のリラックスした視聴体験に影響を及ぼす。これは、監視領域サイズが減少すると、監視領域内の急な変動がサブシーン切り換えでないが、例えば、監視領域にわたって点滅する物体であり得る。これは、絶えず動いている視聴体験につながる。よって、サブシーン切り換え機能を有する実施例による表示システムを利用する場合、この局面を考慮に入れることが重要である。
【００５９】
一実施例では、シーン切り換えが表示領域の監視領域において検出されると、監視領域に接続された少なくとも一部の照射領域の反応時間は、フレーム同期（すなわち、６０Ｈｚビデオ周波数で、１７ｍｓの反応時間／積分時間）になるよう変更される。別の実施例では、監視領域に接続された少なくとも一部の照射領域の反応時間は、２フレーム（６０Ｈｚで３４ｍｓ）、３フレーム（６０Ｈｚで５０ｍｓ）又は４フレーム（５０Ｈｚで６６ｍｓ）に変更することができる。
【００６０】
一実施例では、制御装置は、表示領域に提示された画像又は画像系列コンテンツに応じて各照射領域の反応時間を更に制御する。これは、反応時間が、画像又は画像系列コンテンツ、及び表示システム内のその個々の位置に応じた変数であることを意味している。照射領域の反応時間を使用して、ユーザに対して種々の視聴体験及び／又は精神状態をもたらすことができる。周囲の反応時間が短い照射領域は、高ストレスであり、かつ／又は絶えず動きがある視聴をもたらし得るが、しかし、場合によっては、短い期間の間、照射領域全てに、急な動作、移動等のこの影響を増加させることが望ましいことがあり得る。これは、表示領域上の提示された画像又は画像系列の動作コンテンツ、及び表示システム内のその位置に、各照射領域の反応時間を依存させることによって行われる。この実施例の利点は、表示領域において、急な動作が提示されない場合、照射領域は、前述のその個々の位置に応じた別々の反応時間を有し、これにより、表示領域内で起こっている動作（例えば、動き及びシーンの切り換え）を強調することがなおできる状態で、更に坦々とした背面照射効果をもたらされるという点である。一方、シーン切り換えなどの非常に高速の動作が表示領域に生じる場合、照射領域の少なくとも一部の反応時間を低い値に即座に変更して、高速の変動中の最適な表示特性をもたらす。高速の変動の直後、照射領域反応時間は、高速の変動前に有していた値と同じ値に戻る。
【００６１】
監視装置及び制御装置は、１つ又はいくつかのメモリを備えた１つ又はいくつかのプロセッサを含み得る。プロセッサは、種々のプロセッサ（インテル又はＡＭＤのプロセッサ、ＣＰＵ、マイクロプロセッサ、プログラム可能なインテリジェント・コンピュータ（ＰＩＣ）マイクロコントローラ、ディジタル信号プロセッサ（ＤＳＰ）、電気的にプログラム可能なロジック・デバイス（ＥＰＬＤ）等など）の何れかであり得る。しかし、本発明の範囲は、前述の特定のプロセッサに限定されるものでない。プロセッサは、照射領域に供給される画像コンテンツの色及び輝度に依存する入力信号を生成するために表示領域内の画像コンテンツの画像分析を行うためのコード部を備えたコンピュータ・プログラムを実行することができる。
【００６２】
メモリは、情報を記憶することができる何れかのメモリ（倍密度ＲＡＭ（ＤＤＲ、ＤＤＲ２）、単密ＲＡＭ（ＳＤＲＡＭ）、スタティックＲＡＭ（ＳＲＡＭ）、ダイナミックＲＡＭ（ＤＲＡＭ）、ビデオＲＡＭ（ＶＲＡＭ）等などのランダム・アクセス・メモリ（ＲＡＭ）など）であり得る。メモリは、ＦＬＡＳＨメモリ（ＵＳＢ、コンパクト・フラッシュ、スマート・メディア、ＭＭＣメモリ、メモリ・スティック、ＳＤカード、ミニＳＤ、マイクロＳＤ、ｘＤカード、トランスフラッシュ、及びマイクロドライブ・メモリなど）であり得る。しかし、本発明の範囲は、前述の特定のメモリに限定されるものでない。
【００６３】
一実施例では、監視装置及び制御装置は一装置に含まれている。
【００６４】
一部の実施例では、いくつかの監視装置及び制御装置は表示システムに含まれ得る。
【００６５】
一部の実施例による表示システムは、表示領域を有する表示装置（ＴＶ、フラットＴＶ、陰極線管ＣＲＴ、液晶ディスプレイＬＣＤ、プラズマ放電ディスプレイ、投写型ディスプレイ、薄膜印刷された光学的に活性化されたポリマー・ディスプレイ又は、機能的に同等のディスプレイ手法を使用したディスプレイなど）を含み得る。一実施例では、表示システムは、画像表示領域のほぼ後ろに位置し、表示領域の後ろに配置された表面に向けて光放射を投影するよう構成される。使用中、表示システムは、表示装置の表示領域周りの少なくとも一部分の照射を提供する。
【００６６】
一実施例では、図４によれば、方法４０が提供される。方法は、情報信号を監視する工程（４１）と、情報信号に含まれる情報に少なくとも部分的に基づいて第１の信号を生成する工程（４２）と、第１の信号に基づいて、光の発出特性を実現することができる少なくとも１つの照射領域の反応時間を制御する工程（４３）とを含む。
【００６７】
一実施例では、図５によれば、プロセッサによって処理するためのコンピュータ・プログラムを実施させたコンピュータ読み取り可能な媒体５０を提供する。コンピュータ・プログラムは、情報信号を監視するための監視コード部５１と、情報信号に含まれる情報に少なくとも部分的に基づいて第１の信号を生成するための生成コード部５２と、第１の信号に基づいて、光の発出特性を実現することができる少なくとも１つの照射領域の反応時間を制御するための制御コード部５３とを含む。
【００６８】
一実施例では、コンピュータ読み取り可能な媒体は、一部の実施例において定義された方法工程全てを行うために、コンピュータ処理特性を有する装置によって実行されると構成されるコード部を含む。
【００６９】
一実施例では、コンピュータ読み取り可能な媒体は、一部の実施例において定義された表示システム機能全てを行うために、コンピュータ処理特性を有する装置によって実行されると構成されるコード部を含む。
【００７０】
本発明による前述の実施例のアプリケーション及び使用はさまざまであり、背面放射が望まれるケース全部を含む。本発明は、一部の実施例によれば、内部にシーン切り換え検出器を有する背面照射型テレビ受像機全てにおいて使用することができる。一部の実施例では、本発明は、現在の背面放射モードに一体化することができるか、又は、将来の背面照射システムにおける新たなモードとして追加することができる。
【００７１】
本発明は、ハードウェア、ソフトウェア、ファームウェア、又は前述の何れかの組み合わせを含む何れかの適切な形態で実現することができる。本発明の実施例の構成要素及び構成部分は、何れかの適切なやり方で物理的、機能的、及び論理的に実現することができる。実際に、機能は、単一のユニットで実現しても、複数のユニットで実現しても、他の機能ユニットの一部として実現してもよい。そういうものとして、本発明は、単一のユニットで実現することができるか、又は、別々のユニット及びプロセッサ間で物理的かつ機能的に分散していることがあり得る。
【００７２】
本発明は、特定の実施例に関して説明してきたが、本明細書及び特許請求の範囲記載の特定の形態に限定することを意図するものでない。むしろ、本発明は特許請求の範囲によってのみ限定される。
【００７３】
特許請求の範囲では、「ｃｏｍｐｒｉｓｅｓ／ｃｏｍｐｒｉｓｉｎｇ」の語は、他の構成要素又は構成工程が存在していることを排除するものでない。更に、個々に列挙しているが、複数の手段、構成要素又は方法工程を例えば、単一の装置又はプロセッサによって実現することができる。更に、個々の構成を別々の請求項に含めていることがあり得るが、これらは、場合によっては、組み合わせることが効果的であり得るものであり、別々の請求項に含めていることは、構成の組み合わせが実施可能でないこと及び／又は効果的でないことを示唆しているものでない。更に、単数形の参照は複数形を排除するものでない。「ａ」、「ａｎ」、「ｆｉｒｓｔ」、「ｓｅｃｏｎｄ」等の語は複数形を排除するものでない。特許請求の範囲中の参照符号は、明瞭化する例として記載しているに過ぎず、いずれのやり方によっても特許請求の範囲記載の範囲を限定するものと解されるべきでない。
【図１】
2010513975.tif 000004
【図２】
2010513975.tif 000005
【図３】
2010513975.tif 000006
【図４】
2010513975.tif 000007
【図５】
2010513975.tif 000008
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
システムであって、
ビデオ信号を監視し、前記ビデオ信号に含まれる情報に少なくとも部分的に基づいて第１の信号を生成するよう構成された監視装置と、
前記第１の信号に基づいて、前記システムに含まれ、光の特性と関係付けられる、光の発出特性を実現可能である少なくとも１つの照射領域の反応時間を制御するよう構成された制御装置とを備え、
照射領域の反応時間は、シーン切り換えなどの動作が第１の信号において検出されない限り、前記ビデオ信号のコンテンツの少なくとも２つのフレームにわたる積分に対応し、前記照射領域の前記反応時間は、前記ビデオ信号のコンテンツに対してフレーム同期であるシステム。
【請求項２】
請求項１記載のシステムであって、情報信号をユーザに提示することができる表示領域を更に備えるシステム。
【請求項３】
請求項１乃至２のうちの何れか一項に記載のシステムであって、前記第１の信号は、前記ビデオ信号におけるシーン切り換えに関する情報を含むシステム。
【請求項４】
請求項１乃至３のうちの何れか一項に記載のシステムであって、シーン切り換え信号を生成するよう構成され、前記監視装置又は前記制御装置に接続されたシーン切り換え検出器を更に備え、前記シーン切り換えは、前記システムの少なくとも１つの照射領域の反応時間を制御するために前記制御装置によって使用されるシステム。
【請求項５】
請求項２記載のシステムであって、前記光の特性は、前記表示領域のうちの１つ又は複数の監視領域における強度及び色であり、前記第１の信号は、各監視領域の少なくとも前記強度及び色に関する情報を備えるシステム。
【請求項６】
請求項５記載のシステムであって、監視領域は、少なくとも１つ又は複数の照射領域に対応するシステム。
【請求項７】
請求項１乃至６の何れか一項に記載のシステムであって、前記少なくとも１つの照射領域の反応時間が前記ビデオ信号のコンテンツに対してフレーム同期であるシステム。
【請求項８】
請求項２乃至７のうちの何れか一項に記載のシステムであって、前記表示領域が表示装置に含まれるシステム。
【請求項９】
請求項１乃至８のうちの何れか一項に記載のシステムであって、プロジェクタに含まれるシステム。
【請求項１０】
請求項２乃至９のうちの何れか一項に記載のシステムであって、情報信号及び前記少なくとも１つの照射領域が表面上に投影されるシステム。
【請求項１１】
方法であって、
情報信号を監視する工程と、
前記情報信号に含まれる情報に少なくとも部分的に基づいて第１の信号を生成する工程と、
前記第１の信号に基づいて、光の発出特性を実現することができる少なくとも１つの照射領域の反応時間を制御する工程であって、
前記照射領域の前記反応時間は、シーン切り換えなどの動作が第１の信号において検出されない限り、前記ビデオ信号のコンテンツの少なくとも２つのフレームにわたる積分に対応し、前記照射領域の前記反応時間は、前記ビデオ信号のコンテンツに対してフレーム同期である方法。
【請求項１２】
プロセッサによって処理するためのコンピュータ・プログラムを実施させたコンピュータ読み取り可能な媒体であって、前記コンピュータ・プログラムは、
ビデオ信号を監視するための監視コード部と、
前記情報信号に含まれる情報に少なくとも部分的に基づいて第１の信号を生成するための生成コード部と、
前記第１の信号に基づいて、光の発出特性を実現することができる少なくとも１つの照射領域の反応時間を制御するための制御コード部とを含み、
前記照射領域の前記反応時間は、シーン切り換えなどの動作が第１の信号において検出されない限り、前記ビデオ信号のコンテンツの少なくとも２つのフレームにわたる積分に対応し、前記照射領域の前記反応時間は、前記ビデオ信号のコンテンツに対してフレーム同期であるコンピュータ読み取り可能な媒体。
【請求項１３】
請求項１２記載のコンピュータ読み取り可能な媒体であって、コンピュータ処理特性を有する装置によって実行されると、請求項１乃至１０の全てに記載されたシステム機能全てを行うために構成されたコード部を備えたコンピュータ読み取り可能な媒体。
【国際調査報告】
2010513975.tif 000009
2010513975.tif 000010
2010513975.tif 000011